(57)【要約】【課題】ゴト行為を確実に阻止することがパチンコ遊技機を提供する。【解決手段】  遊技盤を保持した遊技盤保持枠１の前面に、遊技盤の盤面を視認可能なガラス扉５を開閉自在に取り付けると共に、遊技盤保持枠１にガラス扉５の開放端側に設けた係止部１１に上下方向から係止してガラス扉５の開放を阻止する可動係止爪１２を有するガラス扉施錠装置Ａを設けてなるパチンコ遊技機において、ガラス扉５の背面に設けられる金属製の補強板１３に、係止部１１に係止した可動係止爪１２の前方側及び左右方向両側並びに上下方向両側を包囲する金属製防護壁１３Ａを備えた。【選択図】図２
2010207317.tif 000002
【特許請求の範囲】
【請求項１】
遊技盤を保持した遊技盤保持枠の前面に、前記遊技盤の盤面を視認可能なガラス扉を開閉自在に取り付けると共に、前記遊技盤保持枠に前記ガラス扉の開放端側に設けた係止部に上下方向から係止して該ガラス扉の開放を阻止する可動係止爪を有するガラス扉施錠装置を設けてなるパチンコ遊技機において、
前記ガラス扉の背面に設けられる金属製の補強板に、前記係止部に係止した可動係止爪の前方側及び左右方向両側並びに上下方向両側を包囲する金属製防護壁を備えたことを特徴とするパチンコ遊技機。
【請求項２】
前記補強板に、前記可動係止爪の先端部を貫通させる貫通孔を形成し、該貫通孔を通してガラス扉内に入り込んだ可動係止爪を包囲するべく、前記補強板の前面側に前記金属製防護壁を備えさせたことを特徴とする請求項１記載のパチンコ遊技機。
【請求項３】
前記補強板を深絞り加工することにより、該補強板の背面側から前記可動係止爪の先端部が入り込んで可動係止爪の前方側及び左右方向両側並びに上下方向両側を包囲する金属製防護壁を該補強板に一体成型したことを特徴とする請求項１記載のパチンコ遊技機。
【請求項４】
前記補強板の背面に、前記可動係止爪が入り込んで該可動係止爪の前方側及び左右方向両側並びに上下方向両側を包囲する金属製防護壁を備えさせたことを特徴とする請求項１記載のパチンコ遊技機。
【請求項５】
前記可動係止爪が、上下方向に複数備え、前記ガラス扉施錠装置の解除操作に伴って全可動係止爪が係止部との係止を解除するように、該全可動係止爪が連動し、かつ、特定の可動係止爪が直接操作されて係止部との係止が解除された場合には、他の可動係止爪が係止解除操作されないように前記全可動係止爪が非連動となるように構成していることを特徴とする請求項１〜４のいずれか１項に記載のパチンコ遊技機。
【発明の詳細な説明】
【技術分野】
【０００１】
本発明は、遊技盤を保持した遊技盤保持枠の前面に、前記遊技盤の盤面を視認可能なガラス扉を開閉自在に取り付けると共に、前記遊技盤保持枠に前記ガラス扉の開放端側に設けた係止部に上下方向から係止して該ガラス扉の開放を阻止する可動係止爪を有するガラス扉施錠装置を設けてなるパチンコ遊技機に関する。
【背景技術】
【０００２】
ホールに設置される従来のパチンコ遊技機においては、遊技盤保持枠（本体枠又は前枠と称される場合もある）に取り付けられた遊技盤の盤面に対するメンテナンスを従業員が通路側から行い易くするため、遊技盤保持枠の前面にガラス扉を開閉可能に装着している。
また、前記ガラス扉の枢着端とは反対側の開閉揺動端に、複数の扉閉止用フックを、上下方向に間隔をおいて配置しかつ該各フックの先端が後側に突出するように取り付けている。更に、前記ガラス扉の自由端に対向する前記遊技盤保持枠の一側には、前記扉閉止用フックが差し込まれる差込孔と、遊技盤保持枠の一側の後面側に扉閉止用フックに係合してガラス扉を閉じ状態に施錠するための施錠板とを備えた施錠装置が取り付けられ、該施錠装置によりガラス扉の開放を阻止するものが知られている（例えば特許文献１参照）。
【０００３】
上記特許文献１の構成によれば、開閉自在なガラス扉の後面に、先端が尖った扉閉止用フックを後ろ向きに突設していると、ガラス扉を開放して遊技盤のメンテナンスを行う場合に、後ろ向きに突出する扉閉止用フックが障害物になり、作業者（ホール従業員）の手や衣服が扉閉止用フックに引っ掛かり、怪我をしてしまうことがあるだけでなく、作業の妨げになり、改善の余地があった。
【０００４】
このため、従来の改良されたパチンコ遊技機では、前記とは反対に、遊技盤保持枠（本体枠）側に扉閉止用フック（可動係止爪）を設けると共に、開閉するガラス扉の背面に扉閉止用フックが係止する比較的出っ張りの小さい係止部を備えさせることで、ガラス扉を開放しての作業を怪我などのトラブルがなく、しかも効率よく行えるように改良されている。
【０００５】
ところで、このようなパチンコ遊技機において、遊技盤保持枠から前方に向かって扉閉止用フックが突出している構成であると、例えば遊技盤保持枠の前面とこれに対向するガラス扉の背面との間の小さな隙間に、マイナスドライバなどの工具を差し込んで隙間を抉じ開け、抉じ開けられて大きくなった隙間から先端が曲がったピアノ線などを挿入することで、扉閉止用フックを係止解除側へ容易に操作することができる。このように扉閉止用フックを係止解除側へ操作して、ガラス扉を不正に開放してしまい、特定入賞口に遊技玉を不正に入球させ、大当たりを発生させるゴト行為が頻発している。
【０００６】
そこで、従来のパチンコ遊技機では、下記特許文献２のようにガラス扉の背面に設けられる金属製補強板の左右両長辺端を後方に向かうように直角に折曲して突片を形成し、該突片により遊技盤保持枠の前面とこれに対向するガラス扉の背面との隙間を通してのゴト行為を阻止することが行われている。
【０００７】
また、下記特許文献３においては、ガラス扉の背面に設けた金属製補強板に、ガラス扉の閉じ状態において扉施錠フックの横側方に位置する断面形状がコ字状に曲げ加工した金属製の閉止具を取り付け、該閉止具により遊技盤保持枠の前面とこれに対向するガラス扉の背面との隙間を通してのゴト行為を阻止することが行われている。
【先行技術文献】
【特許文献】
【０００８】
【特許文献１】特開２００３−１９０５４６号公報（図２、図６参照）
【特許文献２】特開２００８−１１０１５９号公報（図１４、００２４参照）
【特許文献３】特開２００５−２７０６４３号公報（図７，８、００３１参照）
【発明の概要】
【発明が解決しようとする課題】
【０００９】
最近のパチンコ遊技機の筐体は、ガラス扉の前面を透明な合成樹脂製カバー等で覆い、該カバー内に多数のＬＥＤ基板を配置したものが多い。
このような合成樹脂製カバーの上端に、半田鏝や煙草の火などを用いて孔を開け、この孔から工具を挿入し、扉施錠フックを操作して不正に解錠を行う、所謂、「穴あけゴト」の被害が発生している。
しかし、特許文献２，３に示すガラス扉では、扉施錠フックに対して横側面からの不正は突片または閉止具により防御することができるものの、扉施錠フックが上下方向において無防備であるため、合成樹脂製カバーの上端に前記のように孔を開け、この孔から扉施錠フックが解除操作されることがあり、改善の余地があった。
【００１０】
因みに、図１３に示すように、ガラス扉の枢着端とは反対側の開閉揺動端側（図１３では右側）の金属製補強板５０を折り曲げて前方に突出する縦長の角樋状に形成し、角樋状に形成された縦溝５０Ｍ内に扉施錠フック５１に係止する係止部５２を備え、ガラス扉５３の前方及び横側方から扉施錠フック５１に対して解除操作することはできないものの、次のような不都合があり、採用し難いものであった。
つまり、金属製補強板５０を前方に突出する縦長の角樋状に形成すると、図の左側の扉施錠フック５１を設けない側の金属製補強板５０に比べて、ガラス扉５３のカバー５３Ａ内に備えるＬＥＤ基板５４の取付面積が大幅に減ってしまう。また、ＬＥＤ基板５４を角樋状に前方に突出した突出部５０Ｔに取り付けると、カバー５３Ａの前面とＬＥＤ５５の照射面との距離Ｌ１が、左側の突出部が無い場合の距離Ｌ２と比べて、短くなり、ＬＥＤ５５から照射される光がカバー５３Ａの前面で十分に拡散せず、均一な照明が行い難い問題が生じる。
【００１１】
本発明は前述の状況に鑑み、解決しようとするところは、ゴト行為を確実に阻止することができるパチンコ遊技機を提供するものである。
【課題を解決するための手段】
【００１２】
本発明のパチンコ遊技機は、前述の課題解決のために、遊技盤を保持した遊技盤保持枠の前面に、前記遊技盤の盤面を視認可能なガラス扉を開閉自在に取り付けると共に、前記遊技盤保持枠に前記ガラス扉の開放端側に設けた係止部に上下方向から係止して該ガラス扉の開放を阻止する可動係止爪を有するガラス扉施錠装置を設けてなるパチンコ遊技機において、前記ガラス扉の背面に設けられる金属製の補強板に、前記係止部に係止した可動係止爪の前方側及び左右方向両側並びに上下方向両側を包囲する金属製防護壁を備えたことを特徴としている。
【００１３】
上記のように、金属製の補強板に、前記係止部に係止した可動係止爪の前方側及び左右方向両側並びに上下方向両側を包囲する金属製防護壁を備えさせることによって、可動係止爪の前方及び左右方向並びに上下方向のどの方向から工具などが挿入されたとしても、可動係止爪が係止解除操作されることを金属製防護壁が阻止する。
【００１４】
また、本発明のパチンコ遊技機は、前記補強板に、前記可動係止爪の先端部を貫通させる貫通孔を形成し、該貫通孔を通してガラス扉内に入り込んだ可動係止爪を包囲するべく、前記補強板の前面側に前記金属製防護壁を備えさせてもよい。
【００１５】
また、本発明のパチンコ遊技機は、前記補強板を深絞り加工することにより、該補強板の背面側から前記可動係止爪の先端部が入り込んで可動係止爪の前方側及び左右方向両側並びに上下方向両側を包囲する金属製防護壁を該補強板に一体成型してもよい。
【００１６】
上記のように、金属製防護壁を補強板に一体成型することによって、金属製防護壁を補強板とは別に作製した場合に比べて、部品点数の削減化及び組付工程数の削減化を図ることができる。
【００１７】
また、本発明のパチンコ遊技機は、前記補強板の背面に、前記可動係止爪が入り込んで該可動係止爪の前方側及び左右方向両側並びに上下方向両側を包囲する金属製防護壁を備えさせてもよい。
【００１８】
更に、本発明のパチンコ遊技機は、前記可動係止爪が、上下方向に複数備え、前記ガラス扉施錠装置の解除操作に伴って全可動係止爪が係止部との係止を解除するように、該全可動係止爪が連動し、かつ、特定の可動係止爪が直接操作されて係止部との係止が解除された場合には、他の可動係止爪が係止解除操作されないように前記全可動係止爪が非連動となるように構成してもよい。
【００１９】
上記のように、特定の可動係止爪が不正に直接操作されて係止部との係止が解除された場合には、他の可動係止爪が係止解除操作されないように前記全可動係止爪が非連動となるように構成することによって、少なくとも１つの可動係止爪に対して金属製防護壁を備えさせていれば、特定の可動係止爪が直接操作されて係止部との係止が不正に解除された場合でも、他の可動係止爪は係止が解除されることがない。従って、設計の自由度の高いガラス扉施錠装置を提供することができる。
【発明の効果】
【００２０】
金属製の補強板に、前記係止部に係止した可動係止爪の前方側及び左右方向両側並びに上下方向両側を包囲する金属製防護壁を備えさせることによって、可動係止爪の前方及び左右方向並びに上下方向のどの方向から工具などが挿入されたとしても、可動係止爪が係止解除操作されることを金属製防護壁が阻止することができるから、ゴト行為を確実に阻止するパチンコ遊技機を提供することができる。しかも、金属製補強板の上下方向特定箇所に金属製防護壁を備えているから、ガラス扉内に備えさせるＬＥＤ基板などの取り付けに制限を付与することがなく、所望どおりＬＥＤ基板などを配設することができる。
【図面の簡単な説明】
【００２１】
【図１】パチンコ遊技機の斜視図である。
【図２】パチンコ遊技機の縦断側面図である。
【図３】（ａ）は防護板金等が取り付けられた補強板を背面側から見た斜視図、（ｂ）は（ａ）の補強板を前方側から見た斜視図である。
【図４】防護板金等を取り付ける前の補強板を背面側から見た分解斜視図である。
【図５】（ａ）はガラス扉施錠装置の正面図、（ｂ）はガラス扉施錠装置の側面図、（ｃ）はガラス扉施錠装置の背面図である。
【図６】金属製防護壁及び可動係止爪の第２の実施形態を示す縦断側面図である。
【図７】金属製防護壁及び可動係止爪の第３の実施形態を示す縦断側面図である。
【図８】金属製防護壁及び可動係止爪の第４の実施形態を示す縦断側面図である。
【図９】金属製防護壁及び可動係止爪の第５の実施形態を示し、（ａ）はそれの縦断側面図、（ｂ）は（ａ）におけるＸ−Ｘ線断面図である。
【図１０】金属製防護壁及び可動係止爪の第６の実施形態を示す縦断側面図である。
【図１１】金属製防護壁及び可動係止爪の第７の実施形態を示し、（ａ）はそれの縦断側面図、（ｂ）は（ａ）におけるＹ−Ｙ線断面図である。
【図１２】（ａ）は金属製防護壁及び可動係止爪の第８の実施形態を示す縦断側面図であり、（ｂ）は金属製防護壁及び可動係止爪の第９の実施形態を示す縦断側面図であり、（ｃ）は金属製防護壁及び可動係止爪の第１０の実施形態を示す縦断側面図である。
【図１３】従来の補強板を示す一部を断面にした平面図である。
【発明を実施するための形態】
【００２２】
図１に、本発明のパチンコ遊技機を示し、このパチンコ遊技機は、円形の遊技盤（図示せず）面を備えた遊技盤保持枠１が、遊技場内の島に固定される木製の外枠２に、該外枠２の左端の上下に設けたヒンジ金具３，３を介して揺動開閉自在に支持されている。
【００２３】
前記遊技盤保持枠１の前面側には、円形の遊技盤面を視認可能な透明ガラス４を備えたガラス扉５が、遊技盤保持枠１の左端の上下に備えたヒンジ６，６を介して遊技盤保持枠１に対して開閉自在に取り付けられている。
【００２４】
前記遊技盤保持枠１の下部前面には、図示していない賞球払出装置から払い出される賞球を貯留するための上皿７及び、この上皿７からオーバーフローした賞球（パチンコ球）を貯留するための下皿８が設けられると共に、前記上皿７に貯留したパチンコ球を遊技盤面へ発射するための発射ハンドル９と、上皿７の左右両側に位置するスピーカ１０，１０とが設けられている。
【００２５】
図２〜図５に示すように、前記遊技盤保持枠１に、前記ガラス扉５の開放端側の上下に設けた係止部１１，１１に上下方向からそれぞれ係止して該ガラス扉５の開放を阻止する上下一対の可動係止爪１２，１２を有するガラス扉施錠装置Ａを設けている。
【００２６】
前記係止部１１，１１は、図３（ａ）及び図４に示すように、ガラス扉５の背面に設けられる金属製の補強板１３の背面の右端（前方側から見て）に溶接されるプレート板１４の上下端に、左右方向外側に延びるように形成された突出片からなっている。
従って、前記係止部１１，１１に、上方に向けて突出形成されている可動係止爪１２，１２の爪部１２Ａ，１２Ａがそれぞれ下方から係止することによって、ガラス扉５の開放を阻止することができる。
【００２７】
図３（ａ），（ｂ）及び図４（ａ），（ｂ）に符号１５で示す要素は、Ｌ字状に折り曲げられたガラス扉右板金であり、このガラス扉右板金１５の背面に、前記プレート板１４を重ねて溶接している。また、符号１６で示す要素は、Ｌ字状に折り曲げられたガラス扉左板金であり、ガラス扉左板金１６の背面に平面視Ｌ字状のガラス扉不正防止板金１７を重ねて溶接している。また、符号１８で示す要素は、右横側及び上側から工具を挿入して前記可動係止爪１２，１２を解除操作することを阻止するための防護板金であり、上側水平板部１８Ａとこの上側水平板部１８Ａの右端から下方へ９０度折り曲げられた縦板部１８Ｂとからなっている。
【００２８】
前記補強板１３のガラス扉５の開閉揺動端とは反対側の自由端側の上下端の２箇所を深絞り加工している。つまり、補強板１３を深絞り加工することにより、前記補強板１３の右端の上下２箇所に前方に突出して背面に開口部１３Ｓが形成された袋状の突出部をそれぞれ一体成型している。図２に示すように、各突出部は、前記補強板１３の背面側から前記可動係止爪１２の先端部が入り込んで可動係止爪１２の前方側及び左右方向両側並びに上下方向両側を包囲する金属製防護壁１３Ａを構成している。
【００２９】
従って、前記係止部１１，１１に係止した可動係止爪１２，１２の先端部の前方側及び左右方向両側並びに上下方向両側を金属製防護壁１３Ａ，１３Ａにより包囲するようにしている。このように可動係止爪１２，１２の先端部を、金属製防護壁１３Ａ，１３Ａにより防護するとともに、該可動係止爪１２，１２の先端部以外の基端部を前記防護板金１８により防護することによって、例えばガラス扉５の背面と遊技盤保持枠１の前面との間の隙間から工具をガラス扉５内に挿入する、あるいは合成樹脂製のガラス扉５の上端を溶かすことでガラス扉５内に工具を挿入しても、可動係止爪１２，１２を解除操作することを金属製防護壁１３Ａ，１３Ａ及び防護板金１８により確実に阻止することができる。ここでは、可動係止爪１２，１２の先端部以外の基端部を、防護板金１８により防護しているが、場合によっては防護板金１８を省略してもよい。
【００３０】
前記ガラス扉施錠装置Ａは、前記ガラス扉施錠装置の解除操作に伴って全可動係止爪１２，１２が係止部１１，１１との係止を解除するように、該全可動係止爪１２，１２を連動し、かつ、特定の可動係止爪１２が直接操作されて係止部１１との係止が解除された場合には、他の可動係止爪１２が係止解除操作されないように前記全可動係止爪１２，１２が非連動となるように構成されており、そのガラス扉施錠装置Ａについて図５（ａ）から（ｃ）に基づいて説明する。
【００３１】
ガラス扉施錠装置Ａは、遊技盤保持枠１側に固定される平面視コの字状で縦長状の固定枠部材１９と、この固定枠部材１９に上下方向に移動自在でかつ所定間隔を置いて配置された２個のコイルバネ２０により上方に移動付勢された可動部材２２とを備えている。
【００３２】
前記可動部材２２の可動係止爪１２，１２付近に、該可動係止爪１２，１２に備えさせた当接部１２Ｔに当接して可動係止爪１２，１２を下方へ移動させるとともに、例えば不正により上側の可動係止爪１２が下方へ移動操作された場合に、上側の可動係止爪１２のみを下方へ移動させる融通部としての切欠き２２Ｋを形成している。また、前記可動係止爪１２，１２には、上下方向の長孔１２Ｎ、１２Ｎが形成され、それら長孔１２Ｎ，１２Ｎに固定枠部材１９に螺合されるボルト２１，２１がそれぞれ貫通されている。従って、２個のコイルバネ２０により上方に移動付勢されている可動部材２２の上方への移動が可動係止爪１２，１２の長孔１２Ｎ、１２Ｎの下端がボルト２１，２１に当接することにより規制されるようになっている。
【００３３】
図５に符号２３で示す要素は、外枠２側に備えさせた係止部（図示せず）に上下方向から係止して遊技盤保持枠１を外枠２に固定するための上下一対のロック爪であり、前記固定枠部材１９に水平軸芯Ｘ周り（時計回り）で揺動できるように構成されている。前記ロック爪２３，２３のそれぞれは、コイルバネ２４により反時計回りに揺動付勢されている。そして、ロック爪２３の当接片２５が固定枠部材１９に当接することによりロック爪２３を図５（ｂ）に示す水平姿勢から更に揺動されることがないようにしている。また、可動部材２２の上方側への移動によって該可動部材２２に備えている当接片２６がロック爪２３の水平軸芯Ｘを挟んで係止爪２３Ｂ側とは反対側の下端２３Ａに当接することによって、ロック爪２３がコイルバネ２４の付勢力に抗して時計回りに揺動されるようになっている。
【００３４】
前記ガラス扉施錠装置Ａの施錠及び施錠解除操作について説明する。
まず、図５（ａ）に示すように、固定枠部材１９の下部に設けたシリンダー錠２７に鍵を差し込んで例えば一点鎖線で示すように半時計回りにシリンダー錠２７を回転させると、シリンダー錠２７の背面に備えた回転カム２８の上側のカム片２８Ａが可動部材２２の上側の貫通孔２２Ａに係止し、可動部材２２を下方に移動させる。可動部材２２の下方への移動により、可動係止爪１２，１２の当接部１２Ｔ，１２Ｔを押し下げて可動係止爪１２，１２を下方（図５（ｂ）の一点鎖線で示す方向）に移動させ、ロック解除操作を行う。このとき、当接片２６，２６は、ロック爪２３，２３から離間する下方へ移動することになるため、ロック爪２３，２３は、ロックされた状態を維持する。
【００３５】
前記シリンダー錠２７に鍵を差し込んで、前記とは反対に二点鎖線で示す方向、つまり時計回りにシリンダー錠２７を回転させると、回転カム２８の下側のカム片２８Ｂが可動部材２２の下側の貫通孔２２Ｂに係止し、可動部材２２を上方に移動させる。可動部材２２の上方への移動により、当接片２６，２６がロック爪２３，２３に当接してロック爪２３，２３を図５（ｂ）に示すように時計回りに揺動してロック爪２３，２３のロック解除操作を行う。このとき、切欠き２２Ｋにより可動係止爪１２の当接部１２Ｔを押すことがないため、可動係止爪１２はコイルバネ２０の付勢力によりロックが維持されるとともに、可動部材２２は上方へ移動することができる。
【００３６】
尚、本発明は、上記実施形態に限定されるものではなく、本発明の要旨を逸脱しない範囲で種々の変更が可能である。
例えば、前記実施形態では、可動係止爪１２，１２を下方に移動させてロック解除する構成であったが、可動係止爪１２，１２を上方に移動させてロック解除する構成であってもよい。
【００３７】
前記実施形態では、補強板１３を深絞り加工することにより、金属製防護壁１３Ａ，１３Ａを一体成型して、金属製防護壁１３Ａ，１３を別体成型した場合に比べて、部材点数の削減化及び部品の組付工程数の削減化を図ることができる利点があるが、例えば図６に示すように、前記補強板１３に、前記可動係止爪１２の先端部を貫通させる貫通孔１３Ｋを形成し、該貫通孔１３Ｋを通してガラス扉内に入り込んだ可動係止爪１２の先端を包囲するべく、前記補強板１３の前面に別体成型された金属製防護壁２９を溶接等により備えさせてもよい。図６では、補強板１３に貫通孔１３Ｋを形成することによって、貫通孔１３Ｋの上縁を可動係止爪１２が係止する係止部１１に構成することができる。
【００３８】
また、図７では、前記係止部１１を補強板１３にて兼用構成しないで、別体形成し、その別体形成された断面が矩形状の係止部３０を金属製防護壁２９内に配設している。更に、図８では、可動係止爪１２を下方に配置した係止部３１に上方から係止させる場合を示している。この場合も図７と同様に、別体形成された係止部３１を金属製防護壁２９内に配設している。図８では、係止部３１は断面形状が円形に形成している。
【００３９】
また、前記実施形態では、可動係止爪１２の先端部がガラス扉５側に位置する状態で可動係止爪１２を配置したが、図９（ａ），（ｂ）に示すように、補強板１３の背面に、つまりガラス扉５の外部に金属製防護壁３２を設けてもよい。このように構成することによって、ガラス扉５内に設ける電飾基板３３の配置に制約を受けない利点がある。図９（ｂ）では、図３及び図４で示した防護板金１８を補強板１３に一体成型した場合を示している。また、図９（ａ），（ｂ）の金属製防護壁３２は一枚の金属板を前方側が開放される袋状に構成し、背面に可動係止爪１２が入り込むための貫通孔３２Ａを備えさせている。図９（ａ）では係止部１１を金属製防護壁３２に兼用構成したが、図１０では、係止部３４を金属製防護壁３２とは別体成型し、別体成型された係止部３４を金属製防護壁３２内に配設している。
【００４０】
また、図１１（ａ）、（ｂ）では、図１０で示したものと形状が異なる金属製防護壁３５を示している。具体的には、背面側が開放された袋状からなり、背面に上端から垂下させた係止部３５Ａを備えている。他の構成は、図９（ｂ）と同様であるため、同一の符号を付すと共に説明は省略する。
【００４１】
また、前記実施形態では、金属製防護壁１３Ａにより可動係止爪１２の先端部を包囲し、金属製防護壁１３Ａで包囲できない可動係止爪１２の基端部を防護板金１８により包囲できる構成を示したが、図１２（ａ）に示すように、防護板金１８を省略し、補強板１３に形成の貫通孔１３Ｋに差し込んで溶接等により固定された金属製防護壁３６により可動係止片１２の全体を防護するようにしてもよい。図１２（ａ）に符号３７で示す要素は、可動係止片１２が係止する断面形状が円形の係止部である。
【００４２】
また、図１２（ｂ）では、図２と同様に、前方側に円弧状に突出するように補強板１３を深絞り加工することによって、金属製防護壁１３Ａを補強板１３に一体成型し、金属製防護壁１３Ａの裏面に、金属製防護壁１３Ａで包囲できない可動係止爪１２の基端部をどの方向からも包囲可能な筒状部材（円筒状または角筒状等でもよい）３８を溶接等により固定している。図１２（ｂ）に符号３７で示す要素は、図１２（ａ）と同様に、可動係止片１２が係止する断面形状が円形の係止部である。
【００４３】
また、図１２（ｃ）では、別体成型した金属製防護壁１３Ａを補強板１３の前面に溶接等により固定し、補強板１３の背面に金属製防護壁１３Ａで包囲できない可動係止爪１２の基端部を包囲する筒状部材３８を溶接等により固定している。図１２（ｃ）に符号３９で示す要素は、可動係止片１２が係止する係止部であり、その係止部３９を補強板１３の貫通孔１３Ｋの上縁にて兼用構成している。
【００４４】
また、前記実施形態では、２組の係止部と可動係止爪とを備えたガラス扉施錠装置Ａを示したが、１組の係止部と可動係止爪とからガラス扉施錠装置Ａを構成してもよいし、３組以上の係止部と可動係止爪とからガラス扉施錠装置Ａを構成してもよい。
【符号の説明】
【００４５】
１… 遊技盤保持枠（本体枠）、２…外枠、３…ヒンジ金具、４…透明ガラス、５…ガラス扉、６…ヒンジ、７…上皿、８…下皿、９…発射ハンドル、１０…スピーカ、１１…係止部、１２…可動係止爪、１２Ａ…爪部、１２Ｎ…長孔、１２Ｔ…当接部、１３…補強板、１３Ａ…金属製防護壁、１３Ｋ…貫通孔、１３Ｓ…開口部、１４…プレート板、１５…ガラス扉右板金、１６…ガラス扉左板金、１７…ガラス扉不正防止板金、１８…防護板金、１８Ａ…上側水平板部、１８Ｂ…縦板部、１９…固定枠部材、２０…コイルバネ、２１…ボルト、２２…可動部材、２２Ａ…貫通孔、２２Ｂ…貫通孔、２３…ロック爪、２３Ａ…下端、２３Ｂ…係止爪、２４…コイルバネ、２５…当接片、２６…当接片、２７…シリンダー錠、２８…回転カム、２８Ａ…カム片、２９…金属製防護壁、３０，３１…係止部、３２…金属製防護壁、３２Ａ…貫通孔、３３…電飾基板、３４…係止部、３５…金属製防護壁、３５Ａ…係止部、３６…金属製防護壁、３８…筒状部材、３９…係止部、５０…金属製補強板、５０Ｍ…縦溝、５０Ｔ…突出部、５１…扉施錠フック、５２…係止部、５３…ガラス扉、５３Ａ…カバー、５４…基板、Ａ…ガラス扉施錠装置、Ｌ１，Ｌ２…距離、Ｘ…水平軸芯
【図１】
2010207317.tif 000003
【図２】
2010207317.tif 000004
【図３】
2010207317.tif 000005
【図４】
2010207317.tif 000006
【図５】
2010207317.tif 000007
【図６】
2010207317.tif 000008
【図７】
2010207317.tif 000009
【図８】
2010207317.tif 000010
【図９】
2010207317.tif 000011
【図１０】
2010207317.tif 000012
【図１１】
2010207317.tif 000013
【図１２】
2010207317.tif 000014
【図１３】
2010207317.tif 000015